(57)【要約】【課題】ＲＦＩＤを用いて電子機器の制御を行う電子機器制御システムにおいてユーザの利便性をより高める。【解決手段】記憶手段（識別情報格納テーブル３６ａ）は、ユーザにより携帯されたＲＦＩＤカード１のＩＤ情報と、電子機器４の識別情報と、を対応付けて記憶し、電子機器４が配置された部屋若しくは建物の出入口に設けられたＲＦＩＤ受信手段（リーダライタ２等）は、ユーザが携帯するＲＦＩＤカード１から発信されるＩＤ情報を受信し、抽出手段（抽出プログラム３７ａ等）は、ＲＦＩＤ受信手段によりＩＤ情報が受信された場合に、当該ＩＤ情報に対応付けられた電子機器４の識別情報を記憶手段から抽出し、電源制御手段（電源制御プログラム３７ｃ等）は、抽出手段により抽出された電子機器４の識別情報に基づいて、当該電子機器４に所定の制御信号を出力して当該電子機器４の電源オン／オフを制御する。【選択図】図１
2008033540.tif 000002
【特許請求の範囲】
【請求項１】
ユーザにより携帯されたＲＦＩＤ付帯物のＩＤ情報と、電子機器の識別情報と、を対応付けて記憶する記憶手段と、
前記電子機器が配置された部屋若しくは建物の出入口に設けられ、ユーザが携帯するＲＦＩＤ付帯物から発信されるＩＤ情報を受信する第１ＲＦＩＤ受信手段と、
前記第１ＲＦＩＤ受信手段により前記ＩＤ情報が受信された場合に、当該ＩＤ情報に対応付けられた電子機器の識別情報を、前記記憶手段から抽出する抽出手段と、
前記第１ＲＦＩＤ受信手段により前記ＩＤ情報が受信された場合に、入退場履歴に基づいて、前記ユーザが入場したか或いは退場したかを判断する判断手段と、
前記判断手段により前記ユーザが入場したと判断された場合に、前記抽出手段により抽出された前記電子機器の識別情報に基づいて、当該電子機器に電源オン信号を出力して当該電子機器の電源をオンさせるとともに、前記判断手段により前記ユーザが退場したと判断された場合に、前記抽出手段により抽出された前記電子機器の識別情報に基づいて、当該電子機器に電源オフ信号を出力して当該電子機器における作業中のデータを所定のデータ記憶手段に記憶させた後に、当該電子機器の電源をオフさせる電源制御手段と、
前記電子機器内部又は外部に設けられ、ユーザが携帯するＲＦＩＤ付帯物から発信されるＩＤ情報を受信する第２ＲＦＩＤ受信手段と、
前記第２ＲＦＩＤ受信手段により前記ＩＤ情報が受信された場合に、当該ＩＤ情報に基づいて、当該電子機器の操作を制限する制限手段と、
を備えることを特徴とする電子機器制御システム。
【請求項２】
ユーザにより携帯されたＲＦＩＤ付帯物のＩＤ情報と、電子機器の識別情報と、を対応付けて記憶する記憶手段と、
前記電子機器が配置された部屋若しくは建物の出入口に設けられ、ユーザが携帯するＲＦＩＤ付帯物から発信されるＩＤ情報を受信するＲＦＩＤ受信手段と、
前記ＲＦＩＤ受信手段により前記ＩＤ情報が受信された場合に、当該ＩＤ情報に対応付けられた電子機器の識別情報を、前記記憶手段から抽出する抽出手段と、
前記抽出手段により抽出された前記電子機器の識別情報に基づいて、当該電子機器に所定の制御信号を出力して当該電子機器の電源オン／オフを制御する電源制御手段と、
を備えることを特徴とする電子機器制御システム。
【請求項３】
前記ＲＦＩＤ受信手段により前記ＩＤ情報が受信された場合に、入退場履歴に基づいて、前記ユーザが入場したか或いは退場したかを判断する判断手段を備え、
前記電源制御手段は、
前記判断手段により、前記ユーザが入場したと判断された場合に、前記抽出手段により抽出された前記電子機器の識別情報に基づいて、当該電子機器に電源オン信号を出力して当該電子機器の電源をオンさせるとともに、前記判断手段により、前記ユーザが退場したと判断された場合に、前記抽出手段により抽出された前記電子機器の識別情報に基づいて、当該電子機器に電源オフ信号を出力して当該電子機器の電源をオフさせることを特徴とする請求項２に記載の電子機器制御システム。
【請求項４】
前記電子機器内部又は外部に設けられ、ユーザが携帯するＲＦＩＤ付帯物から発信されるＩＤ情報を受信する第２ＲＦＩＤ受信手段と
前記第２ＲＦＩＤ受信手段により前記ＩＤ情報が受信された場合に、当該ＩＤ情報に基づいて、当該電子機器の操作を制限する制限手段と、
を備えることを特徴とする請求項２又は３に記載の電子機器制御システム。 
【発明の詳細な説明】
【技術分野】
【０００１】
本発明は、ＲＦＩＤを用いた電子機器制御システムに関する。
【背景技術】
【０００２】
従来より、非接触型の識別技術であるＲＦＩＤ（Radio Frequency Identification）システムを利用して、電子機器の盗難防止や不正使用防止を図るシステムが提案されている。
例えば、特許文献１には、ＵＳＢキーの抜き差し、もしくはＲＦタグを翳すといった簡単な行為で認証処理を行うことができ、液晶プロジェクタの盗難防止や、不正使用防止を図ることができる画像表示装置が開示されている。
また、例えば、特許文献２には、非接触ＩＤタグに対して定周期読み取り及び操作時読み取りの動作を行い、非接触ＩＤタグから返送されてくる信号から個人タグ情報を読み取りオペレータ個人を認識することにより、緊急性を要する操作において、ＩＤ認証のために行う操作による遅れを生じさせることなく、セキュリティ管理を行うことができる監視制御装置が開示されている。この監視制御装置では、さらに、非接触ＩＤタグ（ＲＦＩＤタグ）の個人タグ情報に基づいて、オペレータのモード（操作員モード、技術者モード、管理者モード）などの切り分けで操作可能範囲を限定することができ、また、非接触ＩＤタグの個人タグ情報が認識できないときは、ロックモードとすることができる。
【特許文献１】特開２００５−３５１９９６号公報
【特許文献２】特開２００５−２８４３４９号公報
【発明の開示】
【発明が解決しようとする課題】
【０００３】
しかしながら、上記特許文献２に開示された監視制御装置では、操作を許可された操作許可者のみが操作を行うことができる反面、操作許可者が電子機器の電源をオフし忘れて離席してしまう等して操作許可者がいない場合に、当該電子機器の電源をオフすることができず、使い勝手が悪いという問題があった。また、電子機器が電源オフである場合には、操作開始前に電源オン処理が必要となるため、電子機器によっては操作可能な状態になるまで時間がかかってしまうという問題があった。
【０００４】
本発明の課題は、ＲＦＩＤを用いて電子機器の制御を行う電子機器制御システムにおいて、ユーザの利便性をより高めることである。
【課題を解決するための手段】
【０００５】
上記課題を解決するため、請求項１に記載の発明は、電子機器制御システムにおいて、ユーザにより携帯されたＲＦＩＤ付帯物のＩＤ情報と、電子機器の識別情報と、を対応付けて記憶する記憶手段と、
前記電子機器が配置された部屋若しくは建物の出入口に設けられ、ユーザが携帯するＲＦＩＤ付帯物から発信されるＩＤ情報を受信する第１ＲＦＩＤ受信手段と、
前記第１ＲＦＩＤ受信手段により前記ＩＤ情報が受信された場合に、当該ＩＤ情報に対応付けられた電子機器の識別情報を、前記記憶手段から抽出する抽出手段と、
前記第１ＲＦＩＤ受信手段により前記ＩＤ情報が受信された場合に、入退場履歴に基づいて、前記ユーザが入場したか或いは退場したかを判断する判断手段と、
前記抽出手段により抽出された前記電子機器の識別情報に基づいて、前記判断手段により前記ユーザが入場したと判断された場合に、当該電子機器に電源オン信号を出力して当該電子機器の電源をオンさせるとともに、前記判断手段により前記ユーザが退場したと判断された場合に、当該電子機器における作業中のデータを所定のデータ記憶手段に記憶した後に、前記電子機器に電源オフ信号を出力して当該電子機器の電源をオフさせる電源制御手段と、
前記電子機器内部又は外部に設けられ、ユーザが携帯するＲＦＩＤ付帯物から発信されるＩＤ情報を受信する第２ＲＦＩＤ受信手段と、
前記第２ＲＦＩＤ受信手段により前記ＩＤ情報が受信された場合に、当該ＩＤ情報に基づいて、当該電子機器の操作を制限する制限手段と、
を備えることを特徴とする。
【０００６】
請求項２に記載の発明は、電子機器制御システムにおいて、ユーザにより携帯されたＲＦＩＤ付帯物のＩＤ情報と、電子機器の識別情報と、を対応付けて記憶する記憶手段と、
前記電子機器が配置された部屋若しくは建物の出入口に設けられ、ユーザが携帯するＲＦＩＤ付帯物から発信されるＩＤ情報を受信するＲＦＩＤ受信手段と、
前記ＲＦＩＤ受信手段により前記ＩＤ情報が受信された場合に、当該ＩＤ情報に対応付けられた電子機器の識別情報を、前記記憶手段から抽出する抽出手段と、
前記抽出手段により抽出された前記電子機器の識別情報に基づいて、当該電子機器に所定の制御信号を出力して当該電子機器の電源オン／オフを制御する電源制御手段と、
を備えることを特徴とする。
【０００７】
請求項３に記載の発明は、請求項２に記載の電子機器制御システムにおいて、前記ＲＦＩＤ受信手段により前記ＩＤ情報が受信された場合に、入退場履歴に基づいて、前記ユーザが入場したか或いは退場したかを判断する判断手段を備え、
前記電源制御手段は、
前記判断手段により、前記ユーザが入場したと判断された場合に、前記電子機器に電源オン信号を出力して当該電子機器の電源をオンさせるとともに、前記判断手段により、前記ユーザが退場したと判断された場合に、前記電子機器に電源オフ信号を出力して当該電子機器の電源をオフさせることを特徴とする。
【０００８】
請求項４に記載の発明は、請求項２又は３に記載の電子機器制御システムにおいて、前記電子機器内部又は外部に設けられ、ユーザが携帯するＲＦＩＤ付帯物から発信されるＩＤ情報を受信する第２ＲＦＩＤ受信手段と
前記第２ＲＦＩＤ受信手段により前記ＩＤ情報が受信された場合に、当該ＩＤ情報に基づいて、当該電子機器の操作を制限する制限手段と、
を備えることを特徴とする。       
【発明の効果】
【０００９】
請求項１に記載の発明によれば、記憶手段により、ユーザにより携帯されたＲＦＩＤ付帯物のＩＤ情報と、電子機器の識別情報と、が対応付けて記憶され、電子機器が配置された部屋若しくは建物の出入口に設けられた第１ＲＦＩＤ受信手段により、ユーザが携帯するＲＦＩＤ付帯物から発信されるＩＤ情報が受信され、抽出手段により、第１ＲＦＩＤ受信手段によりＩＤ情報が受信された場合に、当該ＩＤ情報に対応付けられた電子機器の識別情報が記憶手段から抽出され、判断手段により、第１ＲＦＩＤ受信手段によりＩＤ情報が受信された場合に、入退場履歴に基づいて、ユーザが入場したか或いは退場したかが判断される。また、電源制御手段により、判断手段によりユーザが入場したと判断された場合に、抽出手段により抽出された電子機器の識別情報に基づいて、当該電子機器に電源オン信号が出力されて当該電子機器の電源がオンされるとともに、判断手段によりユーザが退場したと判断された場合に、抽出手段により抽出された電子機器の識別情報に基づいて、電子機器に電源オフ信号が出力されて当該電子機器における作業中のデータが所定のデータ記憶手段に記憶された後に当該電子機器の電源がオフされる。
したがって、ＲＦＩＤ付帯物を用いて電子機器の制御を行う電子機器制御システムにおいて、ユーザが入場すると電子機器の電源がオンされるとともに、ユーザが退場すると電子機器の電源がオフされることとなって、ユーザの利便性をより高めることができる。すなわち、ユーザが電子機器の電源をオフし忘れて退場した場合であっても、当該電子機器の電源をオフすることができ、また、ユーザが入場する際に、電子機器が電源オフ状態から操作可能な状態になるまで待機する時間を短縮できることとなって、電子機器の使い勝手を向上させることができる。
また、判断手段によりユーザが退場したと判断された場合に、電子機器における作業中のデータが所定のデータ記憶手段に記憶された後に電源オフされるので、作業中のデータの消失を防止することができる。
また、電子機器内部又は外部に設けられた第２ＲＦＩＤ手段により、ユーザが携帯するＲＦＩＤ付帯物から発信されるＩＤ情報が受信され、制限手段により、第２ＲＦＩＤ受信手段によりＩＤ情報が受信された場合に、当該ＩＤ情報に基づいて、当該電子機器の操作が制限される。したがって、正当な権限を有さない者の操作を制限することができることとなって、電子機器の不正使用を防止することができる。
【００１０】
請求項２に記載の発明によれば、記憶手段により、ユーザにより携帯されたＲＦＩＤ付帯物のＩＤ情報と、電子機器の識別情報と、が対応付けて記憶され、電子機器が配置された部屋若しくは建物の出入口に設けられたＲＦＩＤ受信手段により、ユーザが携帯するＲＦＩＤ付帯物から発信されるＩＤ情報が受信され、抽出手段により、ＲＦＩＤ受信手段によりＩＤ情報が受信された場合に、当該ＩＤ情報に対応付けられた電子機器の識別情報が、記憶手段から抽出され、電源制御手段により、抽出手段により抽出された電子機器の識別情報に基づいて、当該電子機器に所定の制御信号が出力されて当該電子機器の電源オン／オフが制御される。
したがって、ＲＦＩＤ付帯物を用いて電子機器の制御を行う電子機器制御システムにおいて、ユーザの入退場状況に応じて電子機器が電源オン／オフされることとなって、ユーザの利便性をより高めることができる。
【００１１】
請求項３に記載の発明によれば、請求項２に記載の発明の効果が得られるのは無論のこと、判断手段により、ＲＦＩＤ受信手段によりＩＤ情報が受信された場合に、入退場履歴に基づいて、ユーザが入場したか或いは退場したかが判断され、電源制御手段により、判断手段により、ユーザが入場したと判断された場合に、電子機器に電源オン信号が出力されて当該電子機器の電源がオンされるとともに、判断手段により、ユーザが退場したと判断された場合に、電子機器に電源オフ信号が出力されて当該電子機器の電源がオフされる。
したがって、ＲＦＩＤ付帯物を用いて電子機器の制御を行う電子機器制御システムにおいて、ユーザが入場すると電子機器の電源がオンされることとなるとともに、ユーザが退場すると電子機器の電源がオフされることとなって、ユーザの入場或いは退場に応じて、電子機器の電源を制御することができる電子機器制御システムを提供することができる。すなわち、ユーザが電子機器の電源をオフし忘れて退場した場合であっても、当該電子機器の電源をオフすることができ、また、ユーザが入場する際に、電子機器が電源オフ状態から操作可能な状態になるまで待機する時間を短縮できることとなって、電子機器の使い勝手を向上させることができる。
また、判断手段によりユーザが退場したと判断された場合に、電子機器における作業中のデータが所定のデータ記憶手段に記憶された後に電源オフされるので、作業中のデータの消失を防止することができる。
【００１２】
請求項４に記載の発明によれば、請求項２又は３に記載の発明の効果が得られるのは無論のこと、電子機器内部又は外部に設けられた第２ＲＦＩＤ受信手段により、ユーザが携帯するＲＦＩＤ付帯物から発信されるＩＤ情報が受信され、制限手段により、第２ＲＦＩＤ受信手段によりＩＤ情報が受信された場合に、当該ＩＤ情報に基づいて、当該電子機器の操作が制限される。
したがって、正当な権限を有さない者の操作を制限することができることとなって、電子機器の不正使用を防止することができる。
【発明を実施するための最良の形態】
【００１３】
以下、図面を参照して、本発明を実施するための最良の形態を詳細に説明する。
【００１４】
まず、本発明に係る電子機器制御システム１００について、図１を参照しながら説明する。
本実施形態の電子機器制御システム１００は、図１に示すように、ＲＦＩＤ（Radio frequency Identification）付帯物としてのＲＦＩＤカード１、リーダライタ（第１RFID受信手段、RFID受信手段）２、管理装置３、電子機器４等を備えて構成されている。電子機器４は、例えば、ＰＣ（Personal Computer）４１、ＰＣ４２、プリンタ４３、照明装置４４等であり、それぞれが、管理装置３と無線接続又は有線接続されている。また、ＲＦＩＤカード１とリーダライタ２は、非接触方式で無線接続されており、リーダライタ２は、管理装置３とケーブルＣにより接続されている。
この電子機器制御システム１００では、ユーザが携帯するＲＦＩＤカード１のＩＤ情報を、電子機器４が配置された部屋又は建物の出入口に配置されたリーダライタ２により読み取り、管理装置３において、ユーザが出入口から入場したのか或いは退場したのかを判断し、読み取ったＩＤ情報に対応付けられた電子機器４の識別情報に基づいて、ユーザが入場した場合には当該電子機器４を電源オンさせ、また、ユーザが退場した場合には当該電子機器４を電源オフさせる。
このような電子機器制御システム１００によれば、ユーザが入場すると電子機器４の電源がオンされるとともに、ユーザが退場すると電子機器４の電源がオフされることとなって、ユーザの利便性をより高めた電子機器制御システム１００を提供することができる。すなわち、ユーザが電子機器４の電源をオフし忘れて退場した場合であっても、当該電子機器４の電源をオフすることができ、また、ユーザが入場する際に、電子機器４が電源オフ状態から操作可能な状態になるまで待機する時間を短縮できることとなって、電子機器４の使い勝手を向上させることができる。
また、電子機器４に設けられたＲＦＩＤリーダ４１ｂ、４２ｂ、４３ｂ、４４ｂにより、ユーザが携帯するＲＦＩＤカード１のＩＤ情報が読み取られ、読み取られたＩＤ情報に基づいて、電子機器４の操作が制限される。これにより、正当な権限を有さない者の操作を制限することができることとなって、電子機器４の不正使用を防止することができる。
【００１５】
（ＲＦＩＤカードの構成）
まず、ＲＦＩＤカード１の構成について説明する。
ＲＦＩＤカード１は、不揮発性のメモリ１５（例えば、ＥＥＰ−ＲＯＭ等）と制御回路１４とからなるＩＣチップと超小型アンテナ１１を内蔵したカードであり、リーダライタ２により非接触方式での電子情報の読み取り及び書き込みを可能とするものである。具体的には、ＲＦＩＤカード１は、アンテナ１１、送受信回路１２、電源回路１３、制御回路１４、メモリ１５等を備えて構成されている。
【００１６】
アンテナ１１は、コイルアンテナを備え、リーダライタ２から送信された電波信号を受信し、受信した信号を送受信回路１２に出力する。また、送受信回路１２からの入力信号をリーダライタ２に送信する。
送受信回路１２は、アンテナ１１からの入力信号を復調して制御回路１４に出力する。また、制御回路１４からの入力信号を変調増幅し、アンテナ１１に出力する。
電源回路１３は、アンテナ１１を介してリーダライタ２から受信した電波を電圧に変換し、ＲＦＩＤカード１の各部の電源供給を行う。
制御回路１４は、送受信回路１２からの入力信号に応じて、メモリ１５への情報の書き込み動作を行う。また、制御回路１４は、メモリ１５に記録された情報の読み出しを行い、読み出した情報（信号）の変調増幅を指示する信号を送受信回路１２に出力する。
メモリ１５は、当該ＲＦＩＤカード１に固有のＩＤ情報を記憶している。
【００１７】
（リーダライタの構成）
次に、リーダライタ２の構成について説明する。
リーダライタ２は、アンテナ２１、送受信回路２２、制御回路２３、Ｉ／Ｆ（Interface）２４等を備えて成り、電子機器４が配置された部屋若しくは建物の出入口に配設されている。
【００１８】
アンテナ２１は、ＲＦＩＤカード１から発信された電波信号を受信し、受信した信号を送受信回路２２に出力する。また、送受信回路２２からの入力信号をＲＦＩＤカード１に送信する。
送受信回路２２は、アンテナ２１からの入力信号を復調して制御回路２３に出力する。また、制御回路２３からの入力信号を変調増幅し、アンテナ２１に出力する。
制御回路２３は、送受信回路２２からの入力信号を管理装置３に送信するよう指示する指示信号をＩ／Ｆ２４に出力する。また、Ｉ／Ｆ２４を介して管理装置３から入力されたＲＦＩＤカード１に送信する信号の変調増幅を指示する信号を送受信回路２２に出力する。
Ｉ／Ｆ２４は、管理装置３と情報の送受信を行うためのインターフェースであり、ＲＦＩＤカード１から受信したＩＤ情報のデータを、ケーブルＣを介して管理装置３に送信するとともに、管理装置３から送信される各種制御信号を受信する。
【００１９】
（電子機器の構成）
次に、電子機器４の構成について説明する。電子機器４は、ＰＣ（Personal Computer）４１、ＰＣ４２、プリンタ４３、照明装置４４等であり、それぞれに、各電子機器４固有の識別情報が割り当てられている。
具体的には、ＰＣ４１は、例えば、Ｉ／Ｆ４１ａ、ＲＦＩＤリーダ（第２RFID受信手段）４１ｂ、制御部４１ｃ、電源部４１ｄ、メモリ（所定のデータ記憶手段）４１ｅ等を備えて構成されており、「Ａ０１」の識別情報が割り当てられている。また、ＰＣ４２は、例えば、ＰＣ４１と同様、Ｉ／Ｆ４２ａ、ＲＦＩＤリーダ（第２RFID受信手段）４２ｂ、制御部４２ｃ、電源部４２ｄ、メモリ（所定のデータ記憶手段）４２ｅ等を備えて構成されており、「Ａ０２」の識別情報が割り当てられている。また、プリンタ４３は、例えば、Ｉ／Ｆ４３ａ、ＲＦＩＤリーダ（第２RFID受信手段）４３ｂ、制御部４３ｃ、電源部４３ｄ等を備えて構成され、「Ｂ０１」の識別情報が割り当てられている。さらに、照明装置４４は、例えば、Ｉ／Ｆ４４ａ、ＲＦＩＤリーダ（第２RFID受信手段）４４ｂ、制御部４４ｃ、電源部４４ｄ等を備えて構成され、「Ｃ１１」の識別情報が割り当てられている。
これらのＰＣ４１、ＰＣ４２、プリンタ４３、照明装置４４に備わるＩ／Ｆ４１ａ、４２ａ、４３ａ、４４ａは、管理装置３と情報の送受信を行うためのインターフェースであり、ＲＦＩＤカード１から受信したＩＤ情報のデータを管理装置３に送信するとともに、管理装置３から送信される各種制御信号を受信する。
また、ＰＣ４１、ＰＣ４２、プリンタ４３、照明装置４４に備わるＲＦＩＤリーダ４１ｂ、４２ｂ、４３ｂ、４４ｂは、各電子機器４の内部又は外部に配設されており、図示は省略するものの、アンテナ、送受信回路、制御回路等を備え、制御部の制御に応じて、ユーザの携帯するＲＦＩＤカード１のメモリに記憶されたＩＤ情報を読み取り、読み取ったＩＤ情報をＩ／Ｆ４１ａ、４２ａ、４３ａ、４４ａにより管理装置３に送信する。
ＰＣ４１、ＰＣ４２、プリンタ４３、照明装置４４に備わる電源部４１ｄ、４２ｄ、４３ｄ、４４ｄは、例えば、図示しない電源コードを介して商用交流電源から供給された交流電圧を、所定の電圧値の直流電圧ＶＣＣ、ＶＤＤに変換し、制御部４１ｃ、４２ｃ、４３ｃ、４４ｃに出力する。当該電源部４１ｄ、４２ｄ、４３ｄ、４４ｄは、制御部４１ｃ、４２ｃ、４３ｃ、４４ｃから出力される電源オンを命ずる制御信号を受信すると、商用交流電源からの電源供給を有効化して各部への電源供給を行い、電源オン状態に移行する。また、電源オフを命ずる制御信号を受信すると、商用交流電源からの電源供給を無効化して各部への電源供給を断ち、電源オフ状態に移行する。
ＰＣ４１、４２に備わるメモリ４１ｅ、４２ｅは、後述する電源制御プログラム３７ｃの実行に際して、ＰＣ４１、４２における作業中のデータが格納される記憶領域である。
【００２０】
（管理装置の構成）
次に、管理装置３の構成について説明する。
管理装置３は、Ｉ／Ｆ３１、入力部３２、表示部３３、ＣＰＵ (Central Processing Unit) ３４、ＲＡＭ (Random Access Memory) ３５、記憶部３６、ＲＯＭ（Read Only Memory）３７等を備えて構成されている。
【００２１】
Ｉ／Ｆ３１は、リーダライタ２及び電子機器４と情報の送受信を行うためのインターフェースであり、リーダライタ２から入力されたＲＦＩＤカード１のＩＤ情報を受信するとともに、リーダライタ２及び電子機器４のそれぞれに、各種制御信号を送信する。
【００２２】
入力部３２は、キーボードの他、マウス、タッチペンなどのポインティングデバイスを備えている。
【００２３】
表示部３３は、例えば、ＣＲＴ（Cathode Ray Tube）、ＬＣＤ（Liquid Crystal Display）等のディスプレイ（図示省略）を備えて構成され、ＣＰＵ３４から表示指示された各種データを表示する。
【００２４】
ＣＰＵ３４は、記憶部３６に格納されているシステムプログラムや、入力部３２から入力される各種データをＲＡＭ３５に格納し、この指示及び入力データに応じてＲＡＭ３５内に格納されたシステムプログラムに従って各種処理を実行し、その処理結果をＲＡＭ３５に一時的に格納するとともに、処理結果を表示部３３に送信する。
【００２５】
ＲＡＭ３５は、ＣＰＵ３４によって実行される各種プログラムやこれら各種プログラムによって処理されたデータ等を一時的に記憶するワークエリアを形成する。
【００２６】
記憶部３６は、例えば、ＲＦＩＤカード１のＩＤ情報と、電子機器４の識別情報とを対応付けて記憶する識別情報格納テーブル３６ａと、ユーザの入退場履歴を記憶する入退場管理テーブル３６ｂと、電子機器４毎に、操作が許可されるＲＦＩＤカード１のＩＤ情報を記憶する許可ＩＤテーブル３６ｃと、を備えて構成されている。ここで、記録媒体は光学的なものの他、磁気的、もしくは半導体メモリ等で構成しても良い。また、記録媒体は、記憶部３６に固定的に設けたもの（例えば、磁気テープ、ハードディスク等）でも良く、着脱自在に設けたもの（例えば、ＦＤＤ、ＭＯ、ＬＤ、ＤＶＤ、ＺＩＰ等）であっても良い。
【００２７】
図２は、記憶部３６に格納された識別情報格納テーブル３６ａを例示する図である。
図２に示すように、識別情報格納テーブル３６ａは、各ＲＦＩＤカード１に固有のＩＤ情報と、電子機器４の識別情報と、を対応付けて記憶しており、記憶手段として機能する。例えば、「０００１」のＩＤ情報に対応づけられた電子機器４の識別情報は「Ａ０１」「Ｂ０１」「Ｃ１１」である。また、「０００２」のＩＤ情報に対応づけられた電子機器４の識別情報は「Ａ０２」「Ｃ１１」である。さらに、「０００３」のＩＤ情報に対応付けられた電子機器４の識別情報は「Ｂ０１」「Ｃ１１」である。
【００２８】
図３は、記憶部３６に格納された入退場管理テーブル（入退場履歴）３６ｂを例示する図である。
図３に示すように、入退場管理テーブル３６ｂは、ＲＦＩＤカード１を携帯する各ユーザの入場時刻及び退場時刻を、当該ＲＦＩＤカード１のＩＤ情報と対応づけて記録することにより、それぞれのユーザの入退場履歴を記録している。すなわち、この入退場管理テーブル３６ｂによれば、例えば、ＩＤ情報が「０００１」の項目には入場時刻又は退場時刻の何れも記憶されていないため、当該ＩＤ情報「０００１」が割り当てられたＲＦＩＤカード１を携帯するユーザは、未だ入場していないこととなる。また、ＩＤ情報が「０００２」の項目における最新の記録は入場時刻（１回目）であるため、当該ＩＤ情報「０００２」が割り当てられたＲＦＩＤカード１を携帯するユーザは、１回目に入場した後に、未だ退場していないこととなる。また、ＩＤ情報が「０００３」の項目における最新の記録は退場時刻（１回目）であるため、当該ＩＤ情報「０００３」が割り当てられたＲＦＩＤカード１を携帯するユーザは、１回目に退場した後に、未だ入場していないこととなる。
この入退場管理テーブル３６ｂは、例えば、毎日所定の時刻にデータがクリアされるようになっている。なお、長期間のデータを記憶できるようになっていても良く、その場合には、出退勤記録等としても用いることができる。
【００２９】
図４は、記憶部３６に格納された許可ＩＤテーブル３６ｃを例示する図である。
図４に示すように、許可ＩＤテーブル３６ｃは、電子機器４毎に、その電子機器４の操作が可能なユーザに配布されるＲＦＩＤカード１のＩＤ情報を割り当てて記憶している。すなわち、例えば、電子機器４の識別情報が「Ａ０１」の項目に割り当てられたＲＦＩＤカード１のＩＤ情報は「０００１」のみであるため、ＰＣ４１を制限されずに操作可能なユーザは、ＩＤ情報が「０００１」のＲＦＩＤカード１を携帯するユーザのみとなる。また、例えば、電子機器４の識別情報が「Ｃ１１」の項目に割り当てられたＲＦＩＤカード１のＩＤ情報は「０００１」「０００２」「０００３」であるため、照明装置４４を制限されずに操作可能なユーザは、ＩＤ情報が「０００１」「０００２」「０００３」のＲＦＩＤカード１を携帯するユーザである。
【００３０】
ＲＯＭ３７は、抽出プログラム３７ａ、判断プログラム３７ｂ、電源制御プログラム３７ｃ、操作制限プログラム３７ｄ等の制御プログラムを記憶している。
【００３１】
抽出プログラム３７ａは、例えば、ＣＰＵ３４に、リーダライタ２によりＩＤ情報が受信された場合に、当該ＩＤ情報に対応付けられた電子機器４の識別情報を、識別情報格納テーブル３６ａから抽出する機能を実現させるためのプログラムである。
具体的には、ＣＰＵ３４は、リーダライタ２においてＲＦＩＤカード１から発信されるＩＤ情報が受信され、リーダライタ２からケーブルＣを介して送信されるＩＤ情報を受信すると、記憶部３６に格納された識別情報格納テーブル３６ａを読み出して、当該識別情報格納テーブル３６ａの中から、リーダライタ２から送信された当該ＩＤ情報に対応付けられた電子機器４の識別情報を抽出する。
例えば、図２に例示した識別情報格納テーブル３６ａの中から、リーダライタ２から送信されたＩＤ情報に対応付けられた電子機器４の識別情報を抽出する場合、送信されたＩＤ情報が「０００２」である場合には、ＣＰＵ３４は、「Ａ０２」「Ｃ１１」の識別情報を抽出することとなる。
ＣＰＵ３４は、かかる抽出プログラム３７ａを実行することにより、抽出手段として機能する。
【００３２】
判断プログラム３７ｂは、例えば、ＣＰＵ３４に、リーダライタ２によりＩＤ情報が受信された場合に、入退場管理テーブル３６ｂに基づいてユーザが入場したか或いは退場したかを判断する機能を実現させるためのプログラムである。
具体的には、ＣＰＵ３４は、リーダライタ２において、ＲＦＩＤカード１から発信されるＩＤ情報が受信され、リーダライタ２からケーブルＣを介して送信されたＩＤ情報を受信すると、リーダライタ２から送信された当該ＩＤ情報に基づいて、記憶部３６に格納された入退場管理テーブル３６ｂを参照し、当該ＩＤ情報を記憶するＲＦＩＤカード１を携帯するユーザが出入口から入場したか、或いは、退場したかを判断する。入場したか或いは退場したかの判断は、判断プログラム３７ｂの実行時における入退場管理テーブル３６ｂに記録された当該ユーザの入退場履歴に基づいて行われ、ＣＰＵ３４は、入退場管理テーブル３６ｂに入場時刻と退場時刻の何れも記録されていない場合には、ユーザが「入場した（１回目）」と判断する。一方、ＣＰＵ３４は、入退場管理テーブル３６ｂにおける最新の記録が入場時刻である場合には、ユーザが「退場した」と判断し、入退場管理テーブル３６ｂにおける最新の記録が退場時刻である場合には、ユーザが「入場した」と判断する。
すなわち、例えば、ＩＤ情報が「０００１」の項目には、入場時刻と退場時刻の何れも記録されていないため、当該ＩＤ情報「０００１」が割り当てられたＲＦＩＤカード１を携帯するユーザは、出入口を通過する時点までは未だ入場しておらず、よって、「入場した（１回目）」と判断されることとなる。また、例えば、ＩＤ情報が「０００２」の項目における最新の記録が１回目の入場時刻である場合には、当該ＩＤ情報「０００２」が割り当てられたＲＦＩＤカード１を携帯するユーザは、「退場した（１回目）」と判断されることとなる。また、ＩＤ情報が「０００３」の項目における最新の記録が１回目の退場時刻である場合には、当該ＩＤ情報「０００３」が割り当てられたＲＦＩＤカード１を携帯するユーザは、「入場した（２回目）」と判断されることとなる。
ＣＰＵ３４は、かかる判断プログラム３７ｂを実行することにより、判断手段として機能する。
【００３３】
電源制御プログラム３７ｃは、例えば、ＣＰＵ３４に、判断プログラム３７ｂの実行によりユーザが入場したと判断された場合に、抽出プログラム３７ａの実行により抽出された電子機器４の識別情報に基づいて、当該電子機器４に電源オン信号（所定の制御信号）を出力して当該電子機器４の電源をオンさせるとともに、判断プログラム３７ｂの実行によりユーザが退場したと判断された場合に、抽出プログラム３７ａの実行により抽出された電子機器４の識別情報に基づいて、当該電子機器４に電源オフ信号（所定の制御信号）を出力して当該電子機器４における作業中のデータをメモリに記憶した後に、当該電子機器４の電源をオフさせる機能を実現させるためのプログラムである。
ＣＰＵ３４は、かかる電源制御プログラム３７ｃを実行することにより、電源制御手段として機能する。
【００３４】
当該電源制御プログラム３７ｃの実行におけるＣＰＵ３４の処理について具体的に説明する。
例えば、リーダライタ２からケーブルＣを介して送信されたＩＤ情報が「０００１」である場合、ＣＰＵ３４は、前述した抽出プログラム３７ａの実行により、識別情報格納テーブル３６ａを参照して、当該ＩＤ情報に対応付けられて記憶された電子機器４の識別情報「Ａ０１」「Ｂ０１」「Ｃ１１」を抽出する。そして、ＣＰＵ３４は、前述した判断プログラム３７ｂの実行により、入退場管理テーブル３６ｂを参照して、ＩＤ情報「０００１」の項目に入場時刻と退場時刻の何れも記憶されていないことを読み出し、当該ＩＤ情報「０００１」が割り当てられたＲＦＩＤカード１を携帯するユーザはリーダライタ２を通過する時点までは入場していなかったことから、「入場した（１回目）」と判断すると、「入場した」と判断した時刻を１回目の入場時刻として入退場管理テーブル３６ｂに記録する。さらに、当該ＩＤ情報「０００１」に対応付けられた識別情報「Ａ０１」「Ｂ０１」「Ｃ１１」が割り当てられた電子機器４（すなわち、ＰＣ４１、プリンタ４３、照明装置４４）のそれぞれに、電源オン信号を出力して、各電子機器４の電源をオンさせる。
また、例えば、リーダライタ２からケーブルＣを介して送信されたＩＤ情報が「０００２」である場合、ＣＰＵ３４は、抽出プログラム３７ａの実行により、識別情報格納テーブル３６ａを参照して、当該ＩＤ情報に対応付けられて記憶された電子機器４の識別情報「Ａ０２」「Ｃ１１」を抽出する。そして、ＣＰＵ３４は、判断プログラム３７ｂの実行により、入退場管理テーブル３６ｂを参照して、ＩＤ情報「０００２」の項目における最新の記録が１回目の入場時刻であることを読み出し、当該ＩＤ情報「０００２」が割り当てられたＲＦＩＤカード１を携帯するユーザはリーダライタ２を通過する時点までは入場（１回目）後、退場していなかったことから、「退場した（１回目）」と判断すると、「退場した」と判断した時刻を１回目の退場時刻として入退場管理テーブル３６ｂに記録する。次に、ＣＰＵ３４は、当該ＩＤ情報「０００２」に対応付けられた識別情報「Ａ０２」「Ｃ１１」が割り当てられた電子機器４（すなわち、ＰＣ４２、照明装置４４）のうち、複数のユーザに共用される電子機器４（例えば、照明装置４４）について、当該電子機器４を操作可能な他のユーザが全員退場済みであるか否かを入退場管理テーブル３６ｂに基づいて判断する。そして、ＣＰＵ３４は、複数のユーザに共用され、操作可能な他のユーザが全員退場済みであると判断された電子機器４と、一人のユーザのみが操作可能な電子機器４（例えば、ＰＣ４２）のそれぞれに、電源をオフさせるための電源オフ信号を出力して、各電子機器４における作業中のデータを電源オフ直前の状態をメモリ（例えば、４２ｅ）に保存させた後に、各電子機器４の電源をオフさせる。また、ＣＰＵ３４は、複数のユーザに共用される電子機器４について、当該電子機器４を操作可能な他のユーザが全員退場済みでないと判断された場合には、当該電子機器４の電源をオンのままとする。これにより、複数のユーザに共用される電子機器４が、ある一人のユーザの退場によって、他のユーザが退場していないにも関わらず電源オフされるのを防止することができる。
さらに、例えば、リーダライタ２からケーブルＣを介して送信されたＩＤ情報が「０００３」である場合、ＣＰＵ３４は、抽出プログラム３７ａの実行により、識別情報格納テーブル３６ａを参照して、当該ＩＤ情報に対応づけられて記憶された電子機器４の識別情報「Ｂ０２」「Ｃ１１」を抽出する。そして、ＣＰＵ３４は、判断プログラム３７ｂの実行により、入退場管理テーブル３６ｂを参照して、ＩＤ情報「０００３」の項目における最新の記録が１回目の退場時刻であることを読み出し、当該ＩＤ情報「０００３」が割り当てられたＲＦＩＤカード１を携帯するユーザはリーダライタ２を通行する時点までは退場（１回目）後、入場していなかったことから、「入場した（２回目）」と判断すると、「入場した」と判断した時刻を２回目の入場時刻として入退場管理テーブル３６ｂに記録する。さらに、ＣＰＵ３４は、当該ＩＤ情報「０００３」に対応付けられた識別情報「Ｂ０２」「Ｃ１１」が割り当てられた電子機器４（すなわち、プリンタ４３、照明装置４４）のそれぞれに、電源オン信号を出力して、各電子機器４の電源をオンさせる。
【００３５】
操作制限プログラム３７ｄは、例えば、ＣＰＵ３４に、電子機器４のＲＦＩＤリーダ４１ａ、４２ａ、４３ａ、４４ａによりＩＤ情報が受信された場合に、当該ＩＤ情報に基づいて、電子機器４の操作を制限する機能を実現させるためのプログラムである。
具体的には、ＣＰＵ３４は、各電子機器４に備わるＲＦＩＤリーダ４１ａ、４２ａ、４３ａ、４４ａにより、ユーザの携帯するＲＦＩＤカード１のメモリ１５に記憶されたＩＤ情報が読み取られ、当該ＩＤ情報を電子機器４から受信すると、記憶部３６に格納された許可ＩＤテーブル３６ｃを参照して、ＩＤ情報を送信した電子機器４を操作可能なＩＤ情報を読み出す。そして、読み出したＩＤ情報に基づいて、電子機器４から送信されたＩＤ情報が、許可ＩＤテーブル３６ｃに操作可能なＩＤ情報として記憶されているか否かを判断する。ＣＰＵ３４は、電子機器４から送信されたＩＤ情報が許可ＩＤテーブル３６ｃに操作可能なＩＤ情報として記憶されている場合には、当該電子機器４を操作可能と判断する。一方、電子機器４から送信されたＩＤ情報が許可ＩＤテーブル３６ｃに操作可能なＩＤ情報として記憶されていない場合には、当該電子機器４を操作不許可と判断し、ユーザの操作を制限するための制御信号をその電子機器４に出力して、ユーザの操作を制限する処理を実行させる。
ＣＰＵ３４は、かかる操作制限プログラム３７ｄを実行することにより、制限手段として機能する。
【００３６】
当該操作制限プログラム３７ｄの実行におけるＣＰＵ３４の処理について、より具体的に説明する。
例えば、電子機器４の識別情報が「Ａ０１」であるＰＣ４１のＲＦＩＤリーダ４１ａにおいて、ユーザの携帯するＲＦＩＤカード１からＩＤ情報が読み取られ、当該ＩＤ情報が管理装置３に送信されると、ＣＰＵ３４は、許可ＩＤテーブル３６ｃを参照してＰＣ４１を操作可能なＩＤ情報「０００１」を読み出す。そして、ＰＣ４１から送信されたＩＤ情報が、許可ＩＤテーブル３６ｃに操作可能なＩＤ情報として記憶されているか否かを判断する。例えば、ＰＣ４１から送信されたＩＤ情報が「０００１」である場合には、ＣＰＵ３４は、電子機器４から送信されたＩＤ情報は許可ＩＤテーブル３６ｃに操作可能なＩＤ情報として記憶されていると判断する。一方、ＰＣ４１から送信されたＩＤ情報が「０００２」である場合には、ＣＰＵ３４は、電子機器４から送信されたＩＤ情報は許可ＩＤテーブル３６ｃに操作可能なＩＤ情報として記憶されていないと判断し、当該ＰＣ４１の操作を制限するよう指示する制御信号をＰＣ４１に出力して、ＰＣ４１において、ユーザの操作を制限する処理を実行させる。
ここで、電子機器４における操作を制限する処理とは、電子機器４における全ての操作を制限する方法であっても良いし、特定の操作（例えば、電源オフ操作）だけを制限する方法であっても良い。また、操作を制限する範囲を電子機器４別、或いは、ＩＤ情報別に記憶したテーブルを記憶し、このテーブルに基づいて操作を制限する方法を採用しても良い。
【００３７】
次に、図５のフローチャートを参照しながら、ＣＰＵ３４により実行される電源オン／オフ制御処理について説明する。本処理は、管理装置３のＣＰＵ３４が、抽出プログラム３７ａ、判断プログラム３７ｂ、電源制御プログラム３７ｃ等を実行することにより行われる。
【００３８】
ステップＳ１において、リーダライタ２により、ユーザが携帯するＲＦＩＤカード１から発信されるＩＤ情報が受信され、管理装置３において、リーダライタ２からケーブルＣを介して送信されたＩＤ情報を受信すると、ＣＰＵ３４は、ステップＳ２において、記憶部３６に格納された識別情報格納テーブル３６ａを参照して、当該識別情報格納テーブル３６ａの中から、リーダライタ２から送信されたＩＤ情報に対応付けられた電子機器４の識別情報を抽出する。
次に、ステップＳ３において、ＣＰＵ３４は、リーダライタ２から送信された当該ＩＤ情報に基づいて、記憶部３６に格納された入退場管理テーブル３６ｂを参照して、当該入退場管理テーブル３６ｂに、当該ＩＤ情報が割り当てられたＲＦＩＤカード１を携帯するユーザの入場時刻又は退場時刻の何れかが記録されているか否かを判断する。ＣＰＵ３４は、ステップＳ３において、入場時刻又は退場時刻の何れも記録されていないと判断すると（ステップＳ３；Ｎｏ）、ステップＳ５に進み、一方、入場時刻又は退場時刻の何れかが記録されていると判断すると（ステップＳ３；Ｙｅｓ）、ステップＳ４において、入退場管理テーブル３６ｂにおける最新の記録が入場時刻であるか否かを判断する。ＣＰＵ３４は、ステップＳ４において、入退場管理テーブル３６ｂにおける最新の記録が入場時刻でないと判断すると（ステップＳ４；Ｎｏ）、ステップＳ５において、ユーザが「入場した」と判断し、入退場管理テーブル３６ｂに入場時刻を記録する。さらに、ステップＳ６において、ＣＰＵ３４は、リーダライタ２から送信されたＩＤ情報に対応付けられた識別情報が割り当てられた電子機器４のそれぞれに、電源オン信号を出力して、各電子機器４の電源をオンさせ、本処理を終了する。
【００３９】
一方、ＣＰＵ３４は、ステップＳ４において、入退場管理テーブル３６ｂにおける最新の記録が入場時刻であると判断すると（ステップＳ４；Ｙｅｓ）、ステップＳ７において、ユーザが「退場した」と判断し、入退場管理テーブル３６ｂに退場時刻を記録する。
次に、ステップＳ８において、ＣＰＵ３４は、リーダライタ２から送信されたＩＤ情報に対応付けられた識別情報が割り当てられた電子機器４のうち、複数のユーザに共用される電子機器４が有るか否かを判断する。ＣＰＵ３４は、ステップＳ８において、複数のユーザに共用される電子機器４が無いと判断すると（ステップＳ８；Ｎｏ）、ステップＳ１１に進み、一方、複数のユーザに共用される電子機器４が有ると判断すると（ステップＳ８；Ｙｅｓ）、ステップＳ９において、当該複数のユーザに共用される電子機器４を操作可能な他のユーザが全員退場済みであるか否かを入退場管理テーブル３６ｂに基づいて判断する。ＣＰＵ３４は、ステップＳ９において、複数のユーザに共用される電子機器４を操作可能な他のユーザが全員退場済みでないと判断すると（ステップＳ９；Ｎｏ）、ステップＳ１０において、リーダライタ２から送信されたＩＤ情報に対応付けられた識別情報が割り当てられた電子機器４のうち、一人のユーザのみが操作可能な電子機器４のそれぞれに、電源オフ信号を出力して、各電子機器４における作業中のデータをメモリ（例えば、４１ｅ、４２ｅ）に保存させた後に、各電子機器４の電源をオフさせ、本処理を終了する。一方、ＣＰＵ３４は、ステップＳ９において、複数のユーザに共用される電子機器４を操作可能な他のユーザが全員退場済みであると判断すると（ステップＳ９；Ｙｅｓ）、ステップＳ１１において、リーダライタ２から送信されたＩＤ情報に対応付けられた識別情報が割り当てられた電子機器４のそれぞれに、電源オフ信号を出力して、各電子機器４における作業中のデータをメモリ（例えば、４１ｅ、４２ｅ）に保存させた後に、各電子機器４の電源をオフさせ、本処理を終了する。
【００４０】
次に、図６のフローチャートを参照しながら、ＣＰＵ３４により実行される操作制限処理について説明する。本処理は、管理装置３のＣＰＵ３４が、操作制限プログラム３７ｄを実行することにより行われる。
【００４１】
まず、ステップＳ１１において、電子機器４のＲＦＩＤリーダ４１ｂ、４２ｂ、４３ｂ、４４ｂにより、ユーザが携帯するＲＦＩＤカード１から発信されるＩＤ情報が受信され、管理装置３において、ＲＦＩＤリーダ４１ｂ、４２ｂ、４３ｂ、４４ｂから送信されたＩＤ情報を受信すると、ＣＰＵ３４は、ステップＳ１２において、記憶部３６に格納された許可ＩＤテーブル３６ｃを参照して、当該許可ＩＤテーブル３６ｃの中から、ＩＤ情報を送信した電子機器４を操作可能なＩＤ情報を読み出し、電子機器４から送信されたＩＤ情報が、許可ＩＤテーブル３６ｃに当該電子機器４を操作可能なＩＤ情報と記憶されて否かを判断する。ＣＰＵ３４は、ステップＳ１２において、電子機器４から送信されたＩＤ情報が許可ＩＤテーブル３６ｃに当該電子機器４を操作可能なＩＤ情報として記憶されていると判断すると（ステップＳ１２；Ｙｅｓ）、本処理を終了し、一方、電子機器４から送信されたＩＤ情報が許可ＩＤテーブル３６ｃに当該電子機器４を操作可能なＩＤ情報として記憶されていないと判断すると（ステップＳ１２；Ｎｏ）、ユーザによる操作を制限するよう指示する制御信号を当該電子機器４に出力することにより、当該電子機器４にユーザの操作を制限する処理を行わせ（ステップＳ１３）、本処理を終了する。
【００４２】
以上説明した本実施形態における電子機器制御システム１００によれば、電子機器４が配置された部屋若しくは建物の出入口に設けられたリーダライタ２により、ユーザが携帯するＲＦＩＤカード１から発信されるＩＤ情報が受信され、ＣＰＵ３４による抽出プログラム３７ａの実行により、リーダライタ２によりＩＤ情報が受信された場合に、当該ＩＤ情報に対応付けられた電子機器４の識別情報が識別情報格納テーブル３６ａから抽出され、ＣＰＵ３４による判断プログラム３７ｂの実行により、リーダライタ２によりＩＤ情報が受信された場合に、入退場管理テーブル３６ｂの入退場履歴に基づいて、ユーザが入場したか或いは退場したかが判断される。また、ＣＰＵ３４による電源制御プログラム３７ｃの実行により、抽出プログラム３７ａの実行により抽出された電子機器４の識別情報に基づいて、判断プログラム３７ｂの実行によりユーザが入場したと判断された場合に、当該電子機器４に電源オン信号が出力されて当該電子機器４の電源がオンされるとともに、判断プログラム３７ｂの実行によりユーザが退場したと判断された場合に、当該電子機器４における作業中のデータがメモリ４１ｅ、４２ｅに記憶された後に、電子機器４に電源オフ信号が出力されて当該電子機器４の電源がオフされる。
したがって、ＲＦＩＤを用いて電子機器４の制御を行う電子機器制御システム１００において、ユーザが入場すると電子機器４の電源がオンされるとともに、ユーザが退場すると電子機器４の電源がオフされることとなって、ユーザの利便性をより高めることができる。すなわち、ユーザが電子機器４の電源をオフし忘れて退場した場合であっても、当該電子機器４の電源をオフすることができ、また、ユーザが入場する際に、電子機器４が電源オフ状態から操作可能な状態になるまで待機する時間を短縮できることとなって、電子機器４の使い勝手を向上させることができる。また、判断プログラム３７ｂの実行によりユーザが退場したと判断された場合に、電子機器４における作業中のデータがメモリ４１ｅ、４２ｅに記憶された後に電源オフされるので、作業中のデータの消失を防止することができる。
また、電子機器４内部又は外部に設けられたＲＦＩＤリーダ４１ｂ、４２ｂ、４３ｂ、４４ｂにより、ユーザが携帯するＲＦＩＤカード１から発信されるＩＤ情報が受信され、操作制限プログラム３７ｄの実行により、当該ＲＦＩＤリーダ４１ｂ、４２ｂ、４３ｂ、４４ｂによりＩＤ情報が受信された場合に、当該ＩＤ情報に基づいて、当該電子機器４の操作が制限される。したがって、正当な権限を有さない者の操作を制限することができることとなって、電子機器４の不正使用を防止することができる。
【００４３】
なお、本発明は上記した実施の形態に限られることなく、本発明の趣旨を逸脱しない範囲において種々の改良並びに設計の変更を行っても良い。
例えば、入場／退場の判断は、入退場履歴に基づいて行う場合に限られず、例えば、ＲＦＩＤカード１のＩＤ情報を読み取るリーダライタを出入口に進行方向に前後させて２つ以上配設し、リーダライタがＩＤ情報の読み取りを行った順番により、入場又は退場を判断しても良い。
また、ＲＦＩＤの形状はカード型に限られることなく、例えば、円筒型等、ユーザが携帯するのに適した形状を適宜選択することができる。
また、制限手段による各電子機器４の操作の制限は、管理装置３のＣＰＵ３４により行う構成に限られない。すなわち、例えば、各電子機器４に当該電子機器４を操作可能なＩＤ情報を記憶させ、それぞれの電子機器４毎に、ＲＦＩＤリーダで受信したＩＤ情報と、記憶したＩＤ情報とに基づいて、操作可能か否かを判断して操作を制限する構成であっても良い。
【図面の簡単な説明】
【００４４】
【図１】本発明に係る電子機器制御システムの要部構成を示すブロック図である。
【図２】記憶部に格納された識別情報格納テーブルを例示する図である。
【図３】記憶部に格納された入退場管理テーブルを例示する図である。
【図４】記憶部に格納された許可ＩＤテーブルを例示する図である。
【図５】ＣＰＵによる電源オン／オフ制御処理を示すフローチャートである。
【図６】ＣＰＵによる操作制限処理を示すフローチャートである。
【符号の説明】
【００４５】
１００          電子機器制御システム
１              ＲＦＩＤカード（ＲＦＩＤ付帯物）
２              リーダライタ（第１ＲＦＩＤ受信手段、ＲＦＩＤ受信手段）
３４            ＣＰＵ（抽出手段、判断手段、電源制御手段、制限手段）
３６ａ          識別情報格納テーブル（記憶手段）
３６ｂ          入退場管理テーブル（入退場履歴）
３７ａ          抽出プログラム（抽出手段）
３７ｂ          判断プログラム（判断手段）
３７ｃ          電源制御プログラム（電源制御手段）
３７ｄ          操作制限プログラム（制限手段）
４              電子機器
４１            ＰＣ（電子機器）
４２            ＰＣ（電子機器）
４３            プリンタ（電子機器）
４４            照明機器（電子機器）
４１ｂ、４２ｂ、４３ｂ、４４ｂ  ＲＦＩＤリーダ（第２ＲＦＩＤ受信手段）
４１ｅ、４２ｅ  メモリ（所定のデータ記憶手段）
【図１】
2008033540.tif 000003
【図２】
2008033540.tif 000004
【図３】
2008033540.tif 000005
【図４】
2008033540.tif 000006
【図５】
2008033540.tif 000007
【図６】
2008033540.tif 000008